(57)【要約】      （修正有）【課題】首や肩が凝ることが無く、車中や、会社の椅子等で、安定的に短時間で睡眠を促し、安眠させ健康を維持、促進する安眠まくらを提供する。【解決手段】空気充填時に、人の首の周囲を覆う大きさの略パイプ状の一方に開口部を設けＣ字状をなす空洞帯状のリング壁とし、リング壁断面を縦長方形の形状とした安眠まくらで、後頭部や頬骨、顎を支える事により、首が曲がらずに安定して頭部を支える構造とするとともに、内面にポケットを設け、冷却、温熱効果のある保冷温体を収納する収納ポケットを設けた。【選択図】図１
0003169451.tif 000002
【実用新案登録請求の範囲】
【請求項１】
シート状のシート素材の周囲を接着、又は溶着し空気袋とし、空気充填・排気用ノズルを設けた安眠まくらにおいて、
空気充填時に、人の首の周囲を覆う大きさの略パイプ状の一方に開口部を設けＣ字状をなす空洞帯状のリング壁とし、リング壁断面を縦長方形の形状としたこと
を特徴とする立体型の安眠まくら。
【請求項２】
請求項１に記載の安眠まくらであって、
リング壁の内面に、冷却や温熱効果のある保冷温体を入れるポケット状の収納部を設けたこと
を特徴とする安眠まくら。
【請求項３】
請求項１から２の何れか一項に記載の安眠まくらであって、
シート素材を植毛素材としたこと
を特徴とする安眠まくら。
【請求項４】
請求項１から３の何れか一項に記載の安眠まくらであって、
リング壁の周辺シート素材の表面を溶融変形させて、凹みを形成し、凹み部を設けたこと
を特徴とする安眠まくら。
【考案の詳細な説明】
【技術分野】
【０００１】
本考案は、冷却や温熱が可能な人の頭部を支持するためのコンパクトに収納出来る安眠まくらに関する。
【背景技術】
【０００２】
車、飛行機、列車のシートや、作業椅子、ソファー、床、ベッド等で休む際の枕として、色々なクッションや、旅行用枕、コンパクト枕が使用されている。コンパクト枕としては、布の周辺を、溶着加工し、内部に空気を出し入れする注入口を設け、空気を入れて膨らませて使用するものがある。
【０００３】
寝不足状態や、例えば夏の疲れが出た時など、少しの時間（例えば１５分）の安眠を取る事は、健康維持や、回復に有効であることが知られている。
しかし、シートに寄りかかって寝る場合や、背もたれの無い椅子で安眠するには、前方向、後方向、肩方向、に頭が垂れ、首が曲がり、首が曲がると息苦しい、首が凝る、肩が凝る等で、安眠が難しかった。今までのコンパクト枕は、肩の上面から胸方向に、座布団状に膨らました枕の為、首を支える高さが得られないと共に、二枚の布の溶着付近は厚みが取れず、首が曲がり、肩こり、首こりが発生した。また、シート上で頭の横ズレを制限する枕は、前方向、前横方向には役立たなかった。その上、背もたれの無い椅子、背もたれが頭まで達しない椅子には使用が出来なかった。また、暑苦しいときに、頸動脈や後頭部付近を冷却する事により、睡眠に入りやすく、寒い環境では、首筋等や肩、頸動脈付近を暖める事により、睡眠に入りやすい。しかし、暑い環境や寒い環境での短時間の安眠と、さらに、冷却、温熱作用をもたらす安眠まくらは無かった。
【０００４】
特許文献１や、特許文献２に示すものは、二枚の布の周辺を、溶着加工したもので、首
の高さが高く取れない。
また、特許文献３は、頭部の横ブレ防止用で、シートに取り付けるものである。
【０００５】
さらに、特許文献４は、頭部を支持するものであるが、頭部の横ブレ防止用であると共に、シートで使用するものでは無かった。
【先行技術文献】
【特許文献】
【０００６】
【特許文献１】登録実用新案第３０９６１４６号公報
【特許文献２】登録実用新案第３１１１５６２号公報
【特許文献３】登録実用新案第３１１２２７８号
【特許文献４】特許公表２００８−５３２５９５
【考案の概要】
【考案が解決しようとする課題】
【０００７】
シートに寄りかかって寝る場合や、背もたれの無い椅子で安眠するには、前方向、後方向、肩方向、に頭が垂れ、首が曲がり、首が曲がると息苦しい、首が凝る、肩が凝る等で、安眠が難しかった。首や肩が凝ることが無く、車中や、会社の椅子等で、安定的に短時間で睡眠を促し、安眠させ健康を維持、促進することを目的とする。
【課題を解決するための手段】
【０００８】
上記課題を解決するために、本考案の一態様に係る安眠枕は、睡眠時の頭部が垂れることにより発生する首の曲がりを支える、首の周囲に連続縦壁を形成した空気まくらとする。さらに、首回り面に冷却保冷材や、温熱材を収納する収納部設けた。さらに、連続縦壁は布状の素材を立体的に溶着すると共に、溶着時に、溶融凹み面を形成し、立体的な形状を形成していることを特徴とする。
【考案の効果】
【０００９】
本考案によれば、安眠しやすい安眠まくらを提供できる。
【図面の簡単な説明】
【００１０】
【図１】本考案の安眠まくらの使用図である。
【図２】本考案の実施形態に係る安眠まくらの斜視図である。
【図３】立体成型凹み部を形成する説明図である。
【考案を実施するための形態】
【００１１】
本考案の実施の形態について、以下、図に基づいて説明する。
【００１２】
図１は、本考案の安眠まくらの使用状態を示す使用斜視図である。
シート状のシート素材の周囲を溶着し空気袋とし、空気充填・排気用のノズル１９を設けた安眠まくら１を示し、空気充填時に、人の首の周囲を覆う大きさの略パイプ状の一方に開口部を設けＣ字状をなす空洞帯状のリング壁１ａとし、リング壁断面１ｂを縦長方形の形状としもので、リング壁１ａは、少なくとも上面１１部、下面１２部、内面１３部、外面１４部のシート素材で形成しリング壁１ａ（連続縦壁）を設けた空気袋とした安眠まくら１を示す。また、人２の首部に安眠まくら１を巻き付けた状態を示し、頭を左右、前後にたれた場合に頬骨部、顎、後頭部が安眠まくら１の上面１１に支えられ、首が曲がらない状態を保つ。安眠まくら１は背中と肩に載せ、前方で留め具１５により、首回りを止める。溶着は、接着材による接着でも良い。また、ノズル１９は、逆止め弁を用いても、先端を押し込む事により取り付け面から沈める構造としても良い。ここで、リング壁１ａの開口部は喉側としているが、後頭部側としても。頬側としても良いものである。また、ノズル１９の位置も空気が入れやすく、邪魔にならない位置ならば、上面１１等に取り付けても良い。さらに、留め具１５はホック型を示すが、マジックテープ（登録商標）等で止めても良い。
【００１３】
図２は、安眠まくら１のリング壁１ａの内面に、保冷温体３（冷却材や、温熱材を封入した袋）を入れるポケット状の収納部１７を設けたものを示す。寒い環境では、温熱材を、暑い環境では、冷却材を封入し、頸動脈や、後頭部、首回りを暖めたり、冷やしたりする事により、睡眠導入を図る事が出来る。冷却材としては、水やグリセリン・ポリアクリル樹脂、塩化ナトリウム、吸収性ポリマーなどとこれらの混合物を使用する。また、温熱材として、ゲル状やジェル状の暖めて使用するものや、発熱体、または、植物のショウガや唐辛子等を封入したものでも良い。また、遠赤効果のあるものや、マイナスイオンを発生する鉱物を封入しても、湿布材を用いてもよい。さらに、収納部１７はメッシュ材を使用しても良い。また、収納部１７を設けずに、直接、内面１３に保冷温体３を張り付けたり、マジックテープで貼り付けたりしても良い。
また、リング壁の周辺シート素材の表面を溶融変形させて、立体形成凹み部１８を形成し、凹み部を設けたものである。シート材は、例えば塩化ビニルを使用したものである。ポリエステル、ポリウレタン、ポリプロピレン等の樹脂材、または、ゴム張りの布地等を使用しても良い。また、表面に綿や不織布、ポリエステル等のカバーを掛けて使用しても良い。さらに、シート材の表面に植毛加工を施すことにより、首スジ等にやさしい肌触りを促し安眠を補助するものとしてもよく、これにより表面にカバーを掛けたりする必要が無くなり安価になる。
【００１４】
図３は、立体形成凹み部１８の形成方法の一例を示し、（ａ）は、凸部のある熱を加えた型とシート素材を示し、シート素材を型で押しつけると共に、（ｂ）では、シート上面４１に立体形成凹み部１８を成形し、（ｃ）は、内部に空気を挿入した状態を示し、立体形成凹み部１８は一部が溶融し凹みが有るため、伸びずに周辺が膨らみ立体的に膨らみを構成する事を示す。
【００１５】
本考案では首に巻く例を示したが、足首、ひざ、肘、肩等に巻き付ける、留め具部を強力にしたりし、固定を充実させる事により各箇所を安定させる事ができるものである。このような範囲は本考案の応用の範囲と考えられる。
【符号の説明】
【００１６】
１：安眠まくら、１ａ：リング壁、１ｂ：リング壁断面、１１：上面、１２：下面、１３：内面、１４：外面、１５：留め具、１６：溶着部、１７：収納部、１８：立体形成凹み部、１９：ノズル、２：人、２１：顎、２２：頬、２３：後頭部、３：保冷温体、４：熱押し型、４１：シート上面、４２：膨らみ部
【図１】
0003169451.tif 000003
【図２】
0003169451.tif 000004
【図３】
0003169451.tif 000005